【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
ビーコン間隔中に１つ以上のトリガーフレームをスケジューリングするためのデバイスであり、前記１つ以上のトリガーフレームは、通信チャネルへのアクセスに関連する情報を含むデバイスであって、
コンピュータ実行可能命令を記憶する少なくとも１つのメモリと、
前記少なくとも１つのメモリにアクセスするように構成された少なくとも１つのプロセッサと
を含み、
前記少なくとも１つのプロセッサは、前記コンピュータ実行可能命令を実行し、
１つ以上のリソースユニットを１つ以上の局デバイスに通知するために、前記１つ以上の局デバイスに送信される１つ以上のトリガーフレームを符号化し、
前記１つ以上のトリガーフレームのスケジュールを決定し、
前記スケジュールに基づいて前記１つ以上のトリガーフレームのうち第１のトリガーフレームにカスケード指示を設定し、
前記第１のトリガーフレームに対する１つ以上の以降のトリガーフレームの送信状態を決定し、
第１の時点において前記第１のトリガーフレームを前記１つ以上の局デバイスに送信させる
ように構成されるデバイス。
【請求項２】
前記第１のトリガーフレームは、１つ以上のランダムアクセス割り当てを含む、請求項１に記載のデバイス。
【請求項３】
前記送信状態は、前記１つ以上の局デバイスへの第２のトリガーフレームの送信、又は前記ビーコン間隔中に以降のトリガーフレームが送信されないという決定に関連する、請求項１又は２に記載のデバイス。
【請求項４】
前記カスケード指示は、前記送信状態を示すための第１の値又は第２の値に設定されるビットである、請求項１乃至３のうちいずれか１項に記載のデバイス。
【請求項５】
「1」の第１の値は、前記デバイスが前記ビーコン間隔内に以降のトリガーフレームを送信することを示す、請求項１乃至４のうちいずれか１項に記載のデバイス。
【請求項６】
「0」の第２の値は、その値を搬送する前記トリガーフレームが前記ビーコン間隔内の最後のトリガーフレームであることを示す、請求項１乃至５のうちいずれか１項に記載のデバイス。
【請求項７】
無線信号を送信及び受信するように構成されたトランシーバを更に含む、請求項１乃至６のうちいずれか１項に記載のデバイス。
【請求項８】
トランシーバに結合されたアンテナを更に含む、請求項１乃至７のうちいずれか１項に記載のデバイス。
【請求項９】
１つ以上のプロセッサにより実行されたときに、
ビーコン間隔中にデバイスから受信した１つ以上のトリガーフレームのうち第１のトリガーフレームを識別し、前記第１のトリガーフレームは、１つ以上のリソースユニットの指示を含み、
前記１つ以上のトリガーフレームのスケジュールに基づいて前記第１のトリガーフレーム内のカスケード指示を識別し、
前記カスケード指示に基づいて１つ以上の以降のトリガーフレームの送信状態を決定する
ことを含む動作を実行することを生じるコンピュータプログラム。
【請求項１０】
前記送信状態は、前記カスケード指示に基づく前記デバイスからの第２のトリガーフレームの受信に関連する、請求項９に記載のコンピュータプログラム。
【請求項１１】
前記カスケード指示は、前記送信状態を示すための第１の値又は第２の値に設定されるビットである、請求項９又は１０に記載のコンピュータプログラム。
【請求項１２】
「1」の第１の値は、前記デバイスが前記ビーコン間隔内に以降のトリガーフレームを送信することを示す、請求項９乃至１１のうちいずれか１項に記載のコンピュータプログラム。
【請求項１３】
「0」の第２の値は、その値を搬送する前記トリガーフレームが前記ビーコン間隔内の最後のトリガーフレームであることを示す、請求項９乃至１２のうちいずれか１項に記載のコンピュータプログラム。
【請求項１４】
前記カスケード指示は、電力節約モードに入る時間間隔を示す、請求項９乃至１３のうちいずれか１項に記載のコンピュータプログラム。
【請求項１５】
ビーコン間隔中に１つ以上のトリガーフレームをスケジューリングするための方法であり、前記１つ以上のトリガーフレームは、通信チャネルへのアクセスに関連する情報を含む方法であって、
１つ以上のプロセッサにより、１つ以上のリソースユニットを１つ以上の局デバイスに通知するために、前記１つ以上の局デバイスに送信される１つ以上のトリガーフレームを符号化し、
前記１つ以上のトリガーフレームのスケジュールを決定し、
前記スケジュールに基づいて前記１つ以上のトリガーフレームのうち第１のトリガーフレームにカスケード指示を設定し、
前記第１のトリガーフレームに対する１つ以上の以降のトリガーフレームの送信状態を決定し、
第１の時点において前記第１のトリガーフレームを前記１つ以上の局デバイスに送信させる
ことを含む方法。
【請求項１６】
前記第１のトリガーフレームは、１つ以上のランダムアクセス割り当てを含む、請求項１５に記載の方法。
【請求項１７】
前記送信状態は、前記１つ以上の局デバイスへの第２のトリガーフレームの送信、又は前記ビーコン間隔中に以降のトリガーフレームが送信されないという決定に関連する、請求項１５又は１６に記載の方法。
【請求項１８】
前記カスケード指示は、前記送信状態を示すための第１の値又は第２の値に設定されるビットである、請求項１５乃至１７のうちいずれか１項に記載の方法。
【請求項１９】
「1」の第１の値は、前記デバイスが前記ビーコン間隔内に以降のトリガーフレームを送信することを示す、請求項１５乃至１８のうちいずれか１項に記載の方法。
【請求項２０】
「0」の第２の値は、その値を搬送する前記トリガーフレームが前記ビーコン間隔内の最後のトリガーフレームであることを示す、請求項１５乃至１９のうちいずれか１項に記載の方法。
【請求項２１】
ビーコン間隔中に１つ以上のトリガーフレームをスケジューリングするための装置であり、前記１つ以上のトリガーフレームは、通信チャネルへのアクセスに関連する情報を含む装置であって、
１つ以上のプロセッサにより、１つ以上のリソースユニットを１つ以上の局デバイスに通知するために、前記１つ以上の局デバイスに送信される１つ以上のトリガーフレームを符号化する手段と、
前記１つ以上のトリガーフレームのスケジュールを決定する手段と、
前記スケジュールに基づいて前記１つ以上のトリガーフレームのうち第１のトリガーフレームにカスケード指示を設定する手段と、
前記第１のトリガーフレームに対する１つ以上の以降のトリガーフレームの送信状態を決定する手段と、
第１の時点において前記第１のトリガーフレームを前記１つ以上の局デバイスに送信させる手段と
を含む装置。
【請求項２２】
前記第１のトリガーフレームは、１つ以上のランダムアクセス割り当てを含む、請求項２１に記載の装置。
【請求項２３】
前記送信状態は、前記１つ以上の局デバイスへの第２のトリガーフレームの送信、又は前記ビーコン間隔中に以降のトリガーフレームが送信されないという決定に関連する、請求項２１又は２２に記載の装置。
【請求項２４】
前記カスケード指示は、前記送信状態を示すための第１の値又は第２の値に設定されるビットである、請求項２１乃至２３のうちいずれか１項に記載の装置。
【請求項２５】
「1」の第１の値は、前記デバイスが前記ビーコン間隔内に以降のトリガーフレームを送信することを示す、請求項２１乃至２４のうちいずれか１項に記載の装置。
【請求項２６】
請求項９乃至１４のうちいずれか１項に記載のコンピュータプログラムを記憶したコンピュータ読み取り可能記憶媒体。